(57)【特許請求の範囲】
【請求項１】
少なくとも２つの光スプリッタにより送信された、各々が少なくとも１つのバースト光信号を含む、少なくとも２つのアップリンクデータ信号のチャネルを受信し、
各アップリンクデータ信号のチャネル内の前記バースト光信号からバーストデジタル信号パケットを回復し、
前記バーストデジタル信号パケットを選択して１つのアップリンクデータストリームのチャネルを取得し、
光加入者線終端装置に前記アップリンクデータストリームを送信すること
を含み、
前記バーストデジタル信号パケットを選択して１つのアップリンクデータストリームのチャネルを取得することが、
各アップリンクデータ信号のチャネル内の前記バーストデジタル信号パケットに対してパケットヘッダ検出を行い、
各アップリンクデータ信号のチャネル内の前記バーストデジタル信号パケットのパケットヘッダを検出した場合、表示信号を生成し、
前記表示信号に従って、各アップリンクデータ信号のチャネル内の前記バーストデジタル信号パケットを選択および出力して、前記選択された少なくとも１つのバーストデジタル信号パケットを含む１つの電気信号データストリームのチャネルを取得し、
前記電気信号データストリームに電気−光変換を行って、前記１つのアップリンクデータストリームのチャネルを取得すること
を含む、受動光ネットワークの通信方法。
【請求項２】
前記各アップリンクデータ信号のチャネル内の前記バースト光信号からバーストデジタル信号パケットを回復することが、
前記バースト光信号をバースト電気信号に変換し、
予め指定された基準クロックに従って、前記バースト電気信号から前記バーストデジタル信号パケットを回復すること
を含む請求項１に記載の受動光ネットワークの通信方法。
【請求項３】
前記光加入者線終端装置により送信された１つのダウンリンクデータストリームのチャネルを受信し、
前記ダウンリンクデータストリームから前記ダウンリンクデータストリーム内のデータの基準クロックを回復し、
前記光スプリッタの数に従って前記ダウンリンクデータストリームを複製し、
前記少なくとも２つの光スプリッタに複製されたダウンリンクデータストリームを送信すること
を更に含む請求項１又は２に記載の受動光ネットワークの通信方法。
【請求項４】
少なくとも２つの光スプリッタにより送信された、各々が少なくとも１つのバースト光信号を含む、少なくとも２つのアップリンクデータ信号のチャネルを受信するように構成された第１の受信ユニットと
前記第１の受信ユニットにより受信された各アップリンクデータ信号のチャネル内の前記バースト光信号からバーストデジタル信号パケットを回復するように構成された回復ユニットと、
前記回復ユニットにより回復された前記バーストデジタル信号パケットを選択して１つのアップリンクデータストリームのチャネルを取得するように構成された選択ユニットと、
前記選択ユニットにより出力された前記１つのアップリンクデータストリームのチャネルを光加入者線終端装置に送信するように構成された第１の送信ユニットと
を備え、
前記選択ユニットが、
前記回復ユニットにより回復された各アップリンクデータ信号のチャネル内の前記バーストデジタル信号パケットに対してパケットヘッダ検出を行うように構成されたパケットヘッダ検出ユニットと、
前記パケットヘッダ検出ユニットが各アップリンクデータ信号のチャネル内の前記バーストデジタル信号パケットのパケットヘッダを検出した場合、表示信号を生成するように構成された信号生成ユニットと、
前記信号生成ユニットにより生成された前記表示信号に従って、各アップリンクデータ信号のチャネル内の前記バーストデジタル信号パケットを選択および出力して、１つの電気信号データストリームのチャネルを取得するように構成された選択サブユニットと、
前記選択サブユニットにより選択された前記電気信号データストリームに電気−光変換を行って、前記１つのアップリンクデータストリームのチャネルを取得するように構成された第１の変換ユニットと
を含む、受動光ネットワークの通信装置。
【請求項５】
前記回復ユニットが、
前記バースト光信号をバースト電気信号に変換するように構成された第２の変換ユニットと、
予め指定された基準クロックに従って、前記第２の変換ユニットにより取得された前記バースト電気信号から前記バーストデジタル信号パケットを回復するように構成された回復サブユニットと
を含む請求項４に記載の受動光ネットワークの通信装置。
【請求項６】
前記光加入者線終端装置により送信された１つのダウンリンクデータストリームのチャネルを受信するように構成された第２の受信ユニットと、
前記第２の受信ユニットにより受信された前記ダウンリンクデータストリームから前記ダウンリンクデータストリーム内のデータの基準クロックを回復するように構成された第２の回復ユニットと、
前記光スプリッタの数に従って、前記第２の受信ユニットにより受信された前記ダウンリンクデータストリームを複製するように構成された複製ユニットと
前記複製ユニットにより複製されたダウンリンクデータストリームを前記少なくとも２つの光スプリッタに送信するように構成された第２の送信ユニットと
を更に含む請求項４に記載の受動光ネットワークの通信装置。
【請求項７】
各々が少なくとも１つの光加入者線ネットワーク装置に接続され、前記光加入者線ネットワーク装置により送信されたバースト光信号を受信して、前記バースト光信号を１つのアップリンクデータ信号のチャネルに結合するように構成された少なくとも２つの光スプリッタと、
前記少なくとも２つの光スプリッタに接続され、前記少なくとも２つの光スプリッタにより送信された少なくとも２つのアップリンクデータ信号のチャネルを受信し、各アップリンクデータ信号のチャネル内のバースト光信号からバーストデジタル信号パケットを回復し、前記バーストデジタル信号パケットを選択して１つのアップリンクデータストリームのチャネルを取得し、光加入者線終端装置に前記アップリンクデータストリームを送信するように構成されたデータ処理モジュールであって、前記バーストデジタル信号パケットを選択して１つのアップリンクデータストリームのチャネルを取得することが、各アップリンクデータ信号のチャネル内の前記バーストデジタル信号パケットに対してパケットヘッダ検出を行い、各アップリンクデータ信号のチャネル内の前記バーストデジタル信号パケットのパケットヘッダを検出した場合、表示信号を生成し、前記表示信号に従って、各アップリンクデータ信号のチャネル内の前記バーストデジタル信号パケットを選択および出力して、前記選択された少なくとも１つのバーストデジタル信号パケットを含む１つの電気信号データストリームのチャネルを取得し、前記電気信号データストリームに電気−光変換を行って、前記１つのアップリンクデータストリームのチャネルを取得することを含む、データ処理モジュールと
前記データ処理モジュールに接続され、前記データ処理モジュールにより送信された前記１つのアップリンクデータストリームのチャネルを受信し、前記アップリンクデータストリームを構文解析し、構文解析されたアップリンクデータストリームを対象ネットワークに送信するように構成された、前記光加入者線終端装置と
を備える受動光ネットワークの通信システム。
【請求項８】
前記データ処理モジュールが更に、
前記光加入者線終端装置により送信された１つのダウンリンクデータストリームのチャネルを受信し、
前記ダウンリンクデータストリームから前記ダウンリンクデータストリーム内のデータの基準クロックを回復し、
前記光スプリッタの数に従って前記ダウンリンクデータストリームを複製し、
前記少なくとも２つの光スプリッタに複製されたダウンリンクデータストリームを送信する
ように構成された、請求項７に記載の受動光ネットワークの通信システム。
【発明の詳細な説明】
【技術分野】
【０００１】
本出願は、２０１０年６月１０日に中国専利局に出願の、「受動光ネットワーク通信方法、装置およびシステム」という名称の中国特許出願第２０１０１０１９６８２１．９号の優先権を主張するものであり、この特許は、全体が引用により本明細書に組み入れられる。
【０００２】
本発明は通信の分野に関するものであって、特に、受動光ネットワーク用通信方法、装置およびシステムに関するものである。
【背景技術】
【０００３】
ビデオオンデマンド、高品位テレビおよびオンラインゲームなどの新興サービスの進歩に伴って、帯域幅に対するユーザのニーズがますます高まっており、ファイバトゥーザホーム（Ｆｉｂｅｒ  ｔｏ  ｔｈｅ  Ｈｏｍｅ、ＦＴＴＨ）の進展により「ラストマイル」アクセスネットワーク帯域幅が効果的に確保され得るであろう。受動光ネットワーク（Ｐａｓｓｉｖｅ  Ｏｐｔｉｃａｌ  Ｎｅｔｗｏｒｋ、ＰＯＮ）技術は、現在最も普及しているＦＴＴＨ技術の１つである。図１はＰＯＮアクセスを使用する従来のネットワークアーキテクチャを示し、ユーザの複数のサービスが異なる電気通信サービスノードに柔軟に接続されるように、ＰＯＮアクセスおよび転送ネットワークを介して送信される。図１から理解されるように、ＰＯＮシステムの基本的な構成は、光加入者線終端装置（Ｏｐｔｉｃａｌ  Ｌｉｎｅ  Ｔｅｍｉｎａｌ、ＯＬＴ）、受動光スプリッタ（スプリッタ）、および、光加入者線ネットワーク装置（Ｏｐｔｉｃａｌ  Ｎｅｔｗｏｒｋ  Ｕｎｉｔ、ＯＮＵ）を含む。ＯＬＴは、幹線光ファイバを介して受動光スプリッタに接続される。光スプリッタはＰ２ＭＰ光出力割り当てを実行し、複数の分岐光ファイバを介して複数のＯＮＵに接続される。ＯＬＴとＯＮＵ間の幹線光ファイバ、光スプリッタおよび分岐光ファイバは、光配信網（Ｏｐｔｉｃａｌ  Ｄｉｓｔｒｉｂｕｔｉｏｎ  Ｎｅｔｗｏｒｋ、ＯＤＮ）と呼ばれる。ＯＮＵからＯＬＴへの方向はアップリンク方向と呼ばれ、ＯＬＴからＯＮＵへの方向はダウンリンク方向と呼ばれる。
【０００４】
従来技術のＰＯＮシステムの通信方法は、複数のＯＮＵが分岐光ファイバを介して光スプリッタにユーザデータを送信し、光スプリッタが複数の分岐光ファイバから１つの幹線光ファイバを介してＯＬＴにデータを送るというものである。１つのＯＬＴは１つの受信ポートしか有していないので、１つのＯＬＴは、１つの光配信網ＯＤＮからしかユーザデータを受信することができない、すなわち、ＯＬＴおよびＯＤＮ（または光スプリッタ）は、１対１の対応となっている。
【０００５】
本発明を実現する過程で、発明者は、ＰＯＮシステムの既存の通信方法においては、１つの光配信網にアクセスすることができるＯＮＵの数には限界がある（最大アクセス数は現在１２８）ので、より多くのユーザを対象とするためには、デジタル加入者回線（Ｄｉｇｉｔａｌ  Ｓｕｂｓｃｒｉｂｅｒ  Ｌｉｎｅ、ＤＳＬ）装置またはスイッチ装置をＯＮＵとユーザの間で追加しなければならないことに気づいた。ＤＳＬ装置およびスイッチ装置は、共に非ＰＯＮ装置である。この方法では、ネットワークへの投資費用が増大し、結果として運営者には運営維持費が高くなっている。
【発明の概要】
【発明が解決しようとする課題】
【０００６】
本発明の実施形態は、非ＰＯＮデバイスを増やすことなく、より多くのユーザを対象とする受動光ネットワーク用通信方法、装置およびシステムを提供し、それにより、運営者のネットワーク運営維持費が低減されるようにするものである。
【課題を解決するための手段】
【０００７】
前述の目的を達成するために、本発明の実施形態は、以下の技術的解決策を採用している。
【０００８】
受動光ネットワーク通信方法は、
少なくとも２つの光スプリッタにより送信された、各々が少なくとも１つのバースト光信号を含む少なくとも２つのアップリンクデータ信号のチャネルを受信し、
各アップリンクデータ信号のチャネル内のバースト光信号からバーストデジタル信号パケットを回復し
バーストデジタル信号パケットを選択して１つのアップリンクデータストリームのチャネルを取得し、
光加入者線終端装置にアップリンクデータストリームを送信すること、を含む。
【０００９】
受動光ネットワーク通信装置は、
少なくとも２つの光スプリッタにより送信された、各々が少なくとも１つのバースト光信号を含む少なくとも２つのアップリンクデータ信号のチャネルを受信するように構成された第１の受信ユニットと、
第１の受信ユニットにより受信された各アップリンクデータ信号のチャネル内のバースト光信号からバーストデジタル信号パケットを回復するように構成された回復ユニットと、
回復ユニットにより回復されたバーストデジタル信号パケットを選択してアップリンクデータストリームの１つのチャネルを取得するように構成された選択ユニットと、
選択ユニットにより出力されたアップリンクデータストリームの１つのチャネルを光加入者線終端装置に送信するように構成された第１の送信ユニットと、を含む。
【００１０】
受動光ネットワーク通信システムは、
各々が少なくとも１つの光加入者線ネットワーク装置に接続され、光加入者線ネットワーク装置により送信されたバースト光信号を受信して、バースト光信号を１つのアップリンクデータ信号のチャネルに結合するように構成された、少なくとも２つの光スプリッタと、
少なくとも２つの光スプリッタに接続され、少なくとも２つの光スプリッタにより送信された少なくとも２つのアップリンクデータ信号のチャネルを受信し、各アップリンクデータ信号のチャネル内のバースト光信号からバーストデジタル信号パケットを回復し、バーストデジタル信号パケットを選択して１つのアップリンクデータストリームのチャネルを取得し、光加入者線終端装置にアップリンクデータストリームを送信するように構成されたデータ処理モジュールと
データ処理モジュールに接続され、データ処理モジュールにより送信された１つのアップリンクデータストリームのチャネルを受信し、アップリンクデータストリームを構文解析し、構文解析されたアップリンクデータストリームを対象ネットワークに送信するように構成された、光加入者線終端装置と、を含む。
【００１１】
本発明の実施形態において提供する受動光ネットワーク用通信方法、装置およびシステムにより、光スプリッタの数が増加され、各光スプリッタにより送信されたデータ信号内のバースト光信号からバーストデジタル信号パケットが回復され、これらのデジタル信号パケットが選択されて、１つのアップリンクデータストリームのチャネルに結合され、アップリンクデータストリームが光加入者線終端装置に送信されるので、光加入者線終端装置と光スプリッタはもはや１対１対の対応でなく、その結果、受動光ネットワークシステムにアクセスするＯＮＵの数を最大限に増加させる。本発明の実施形態において提供する受動光ネットワーク通信方法および装置およびシステムは、非ＰＯＮデバイスを増やすことなく、より多くのユーザを対象とすることができ、その結果、運営者のネットワーク運営維持費を低減させることができる。
【００１２】
本発明の実施形態によるかまたは従来技術における技術的解決策をより明瞭に示すために、実施形態または従来技術を説明する添付図面を以下において簡潔に示す。以下の説明における添付図面は明らかに本発明の一部の実施形態であり、当業者は、独創的な努力なしに添付図面から他の図面を導出するであろう。
【図面の簡単な説明】
【００１３】
【図１】本発明の実施形態による受動光ネットワークの通信方法の流れ図である。
【図２】本発明の別の実施形態による受動光ネットワークの通信方法の流れ図である。
【図３】本発明の実施形態による、複数のアップリンクデータ信号を１つのアップリンクデータストリームのチャネルに結合する機能的な状態の概略図である。
【図４】本発明の実施形態による受動光ネットワークの通信装置の第１の概略構成図である。
【図５】図４に示す受動光ネットワークの通信装置の選択ユニット３０３の概略構成図である。
【図６】図４に示す受動光ネットワークの通信装置の回復ユニット３０２の概略構成図である。
【図７】本発明の実施形態による受動光ネットワークの通信装置の第２の概略構成図である。
【図８】本発明の実施形態による、受動光ネットワークの通信装置に対応する物理的モジュールの概略構成図である。
【図９】長距離ＰＯＮシステムに適用されたときの、本発明の実施形態による受動光ネットワーク用通信装置に対応する物理的モジュールの概略構成図である。
【図１０】本発明の実施形態による受動光ネットワークの通信システムの概略構成図である。
【発明を実施するための形態】
【００１４】
本発明の目的、技術的解決策および利点をより明瞭にするために、本発明の実施形態による技術的解決策を、添付図面を参照して明瞭におよび完全に以下において説明する。以下の説明における実施形態は明らかに、単に本発明の実施形態の全てではなく一部である。独創的な努力を行うことなく本発明の実施形態に基づいて当業者により取得される全ての他の実施形態は、本発明の保護範囲に該当するものとする。
【００１５】
より多くのユーザを対象とするために非ＰＯＮデバイスを増やす必要性により高いネットワーク運営維持費が生じるという従来技術における問題を解決するために、本発明の実施形態は、受動光ネットワークの通信方法、装置およびシステムを提供する。
【００１６】
図１を参照すると、本発明の実施形態は、以下を含む受動光ネットワークの通信方法を提供する。
【００１７】
ステップ１０１：少なくとも２つの光スプリッタにより送信された、各々が少なくとも１つのバースト光信号を含む、少なくとも２つのアップリンクデータ信号のチャネルを受信する。
【００１８】
ステップ１０２：各アップリンクデータ信号のチャネル内のバースト光信号からバーストデジタル信号パケットを回復する。
【００１９】
ステップ１０３：バーストデジタル信号パケットを選択して、１つのアップリンクデータストリームのチャネルを取得する。
【００２０】
ステップ１０４：光加入者線終端装置にアップリンクデータストリームを送信する。
【００２１】
本発明の実施形態において提供する受動光ネットワークの通信方法により、光スプリッタの数が増加され、各光スプリッタにより送信されたデータ信号内のバースト光信号からバーストデジタル信号パケットが回復され、これらのデジタル信号パケットが選択されて、１つのアップリンクデータストリームのチャネルに結合され、アップリンクデータストリームが光加入者線終端装置に送信されるので、光加入者線終端装置と光スプリッタはもはや１対１対の対応でなく、その結果、受動光ネットワークシステムにアクセスするＯＮＵの数が最大限に増加する。本発明の実施形態において提供する受動光ネットワークの通信方法は、非ＰＯＮデバイスを増やすことなく、より多くのユーザを対象とすることができ、その結果、運営者のネットワーク運営維持費用が低減される。
【００２２】
当業者がより明瞭に本発明の実施形態による技術的解決策を理解できるようにするために、本発明の別の実施形態による受動光ネットワークの通信方法を特定の実施形態を使用して以下で詳細に示す。
【００２３】
図２を参照すると、本発明の別の実施形態は、以下を含む受動光ネットワークの通信方法を提供している。
【００２４】
ステップ２０１：少なくとも２つの光スプリッタにより送信された、各々が少なくとも１つのバースト光信号を含む、少なくとも２つのアップリンクデータ信号のチャネルを受信する。
【００２５】
ステップ２０２：各アップリンクデータ信号のチャネル内のバースト光信号からバーストデジタル信号パケットを回復する。
【００２６】
本発明の実施形態においては、アップリンク方向において、まず各バースト光信号を対応するバースト電気信号に変換し、予め指定された基準クロックに従って、対応するバーストデジタル信号パケットを各バースト電気信号から回復する。予め指定された基準クロックは、ダウンリンクデータストリームに対応する基準クロックと同期している。
【００２７】
ステップ２０３：各アップリンクデータ信号のチャネル内のバーストデジタル信号パケットに対してパケットヘッダ検出を行う。
【００２８】
本発明の実施形態においては、各アップリンクデータ信号のチャネルが１つのパケットヘッダ検出モジュールに対応し、各パケットヘッダ検出モジュールが、受信されたアップリンクデータ信号内のバーストデジタル信号パケットに対してパケットヘッダ検出を行う。
【００２９】
ステップ２０４：各アップリンクデータ信号のチャネル内のバーストデジタル信号パケットのパケットヘッダを検出した場合、表示信号を生成する。
【００３０】
ステップ２０５：表示信号に従って各アップリンクデータ信号のチャネル内のバーストデジタル信号パケットを選択および出力し、選択された少なくとも１つのバーストデジタル信号パケットを含む、１つの電気信号データストリームのチャネルを取得する。
【００３１】
本発明の実施形態においては、パケットヘッダ検出モジュールの１つが特定のバーストデジタル信号パケットのパケットヘッダを検出した場合、表示信号を生成し、結合ユニットは、バーストデジタル信号パケットを選択および出力するように促される。ところで、同じＰＯＮシステムの異なるアップリンクデータ信号内のバーストデジタル信号パケット間では競合が発生する恐れはない、すなわち、２つのバーストデジタル信号パケットのパケットヘッダは同時に検出されないことが、従来技術においてすでに確保されている。このようにして、１つの電気信号データストリームのチャネルが取得され、データストリームは、異なるアップリンクデータ信号内のバーストデジタル信号パケットを含む。このプロセスは、図３に示す通りであり、符号６は、電気信号データストリームにおける無効な信号を表す。
【００３２】
ステップ２０６：電気信号データストリームに電気‐光変換を行い、１つのアップリンクデータストリームのチャネルを取得する。
【００３３】
本発明の実施形態においては、電気信号データストリームは光信号に変換され、光加入者線終端装置により受信することができる１つのアップリンクデータストリームのチャネルが最終的に取得される。
【００３４】
ステップ２０７：光加入者線終端装置にアップリンクデータストリームを送信する。
【００３５】
この時点で、ＰＯＮシステムによるアップリンクデータの受信および処理が完了する。
【００３６】
ダウンリンク方向において、光加入者線終端装置により送信されたダウンリンクデータストリームが受信され、対応するデータ基準クロックがダウンリンクデータストリームから回復され（データ基準クロックの機能は、ステップ２０２での基準クロックに従って各バースト電気信号から対応するバーストデジタル信号パケットを回復することである）、ダウンリンクデータストリームは、光スプリッタの数、すなわち、いくつの光スプリッタがあるか、いくつのコピーが複製されるか、に従って複製され、その各々が各光スプリッタに送信されて、確実に異なるＯＤＮネットワーク内の異なるＯＮＵが同じダウンリンクデータストリームを受信するようにする。
【００３７】
本発明の実施形態を特に長距離（Ｌｏｎｇ−ｒｅａｃｈ）ＰＯＮシステムに適用してもよいことに注意されたい。具体的な実施方法は前述の実施形態と同様であり、相違点は、ステップ２０５にて１つの電気信号データストリームのチャネルを取得した後、データストリーム内の２つの隣接バーストデジタル信号パケット間でパケット間ギャップ限界決定を行う、すなわち、データストリーム内の次のバーストパケットの開始位置をビットフレーム検索の方法で見つけ、電気信号データストリームを一群の連続デジタル信号に変換するために、パケット間ギャップバイト切捨て機能の処理を行う点にある。一方、連続デジタル信号内での０の長いストリームまたは１の長いストリームの出現を回避するために、２つの隣接バーストパケット間に固定パターンを充填する必要があり、このパターンは、予め設定された、いくつかの特殊文字のシーケンスである。パケット間ギャップ限界決定およびパケット間ギャップ充填という前述の処理を行うことにより、電気信号データストリームは連続信号に変換される。連続信号は、波長分割システム（デバイス）のクライアント信号の役目をするものであり、光加入者線終端装置に接続される別の波長分割デバイスに光電送ネットワーク（または波長分割多重化ネットワーク）を介して送信され、連続信号は、波長分割デバイスによりデマッピングされて、光ファイバリンクを介して光加入者線終端装置に送信される。
【００３８】
本発明の実施形態において提供する受動光ネットワークの通信方法により、光スプリッタの数が増加され、アップリンク方向において、各光スプリッタにより送信されたデータ信号内のバースト光信号からバーストデジタル信号パケットが回復され、これらのデジタル信号パケットが選択されて、１つのアップリンクデータストリームのチャネルに結合され、アップリンクデータストリームは、光加入者線終端装置に送信される。一方、ダウンリンク方向では、光加入者線終端装置により受信されたデータストリームは、複製されて各光スプリッタに送信される。従って、光加入者線終端装置と光スプリッタはもはや１対１の対応ではなく、その結果、受動光ネットワークシステムにアクセスするＯＮＵの数が最大限に増加する。本発明の実施形態において提供する受動光ネットワークの通信方法は、非ＰＯＮデバイスを増やすことなく、より多くのユーザを対象とすることができ、その結果、運営者のネットワーク運営維持費が低減される。
【００３９】
図４を参照すると、本発明の実施形態は、
少なくとも２つの光スプリッタにより送信された、各々が少なくとも１つのバースト光信号を含む、少なくとも２つのアップリンクデータ信号のチャネルを受信するように構成された第１の受信ユニット３０１と、
第１の受信ユニット３０１により受信された各アップリンクデータ信号のチャネル内のバースト光信号から、バーストデジタル信号パケットを回復するように構成された回復ユニット３０２と、
回復ユニット３０２により回復されたバーストデジタル信号パケットを選択して、１つのアップリンクデータストリームのチャネルを取得するように構成された選択ユニット３０３と、
選択ユニット３０３により出力された１つのアップリンクデータストリームのチャネルを光加入者線終端装置に送信するように構成された第１の送信ユニット３０４と、を含む受動光ネットワークの通信装置を提供している。
【００４０】
図４に基づき、更に図５に示すように、選択ユニット３０３は、
回復ユニット３０２により回復された各アップリンクデータ信号のチャネル内のバーストデジタル信号パケットに対してパケットヘッダ検出を行うように構成されたパケットヘッダ検出ユニット３０３１と、
パケットヘッダ検出ユニット３０３１が各アップリンクデータ信号のチャネル内のバーストデジタル信号パケットのパケットヘッダを検出した場合、表示信号を生成するように構成された信号生成ユニット３０３２と、
信号生成ユニット３０３２により生成された表示信号に従って、各アップリンクデータ信号のチャネル内のバーストデジタル信号パケットを選択および出力して、１つの電気信号データストリームのチャネルを取得するように構成された選択サブユニット３０３３と、
選択サブユニット３０３３により選択された電気信号データストリームに電気−光変換を行って、１つのアップリンクデータストリームのチャネルを取得するように構成された第１の変換ユニット３０３４と、を含む。
【００４１】
図４に基づき、更に図６に示すように、回復ユニット３０２は、
バースト光信号をバースト電気信号に変換するように構成された第２の変換ユニット３０２１と、
予め指定された基準クロックに従って、第２の変換ユニット３０２１により取得されたバースト電気信号からバーストデジタル信号パケットを回復するように構成された回復サブユニット３０２２と、を含む。
【００４２】
図４に基づき、更に図７に示すように、装置は、
光加入者線終端装置により送信された１つのダウンリンクデータストリームのチャネルを受信するように構成された第２の受信ユニット３０５と、
第２の受信ユニット３０５により受信されたダウンリンクデータストリームから、ダウンリンクデータストリームに対応するデータ基準クロックを回復するように構成された第２の回復ユニット３０６と、
光スプリッタの数に従って、第２の受信ユニット３０５により受信されたダウンリンクデータストリームを複製するように構成された複製ユニット３０７と
複製ユニット３０７により複製されたダウンリンクデータストリームを、少なくとも２つの光スプリッタに送信するように構成された第２の送信ユニット３０８と、を更に含む。
【００４３】
本発明の実施形態においては、上述したユニットに対応する物理的モジュールの構成図は、図８に示す通りである。ＯＤＮインターフェースの数は、光スプリッタの数（すなわち、ＯＤＮネットワークの数）と同じであり、ｎ個のＯＤＮネットワークがあると仮定すると、これに対応して、ｎ個のＯＤＮインターフェースが必要である。ＯＤＮ１を一例として取ると、バースト受信光モジュールは、各ＯＮＵにより送られたバースト光信号を含む１つのアップリンクデータ信号のチャネルを受信し、光電変換によりバースト電気信号に変換して、クロックデータ回復モジュールにバースト電気信号を送り（バースト信号であるので、クロックデータ回復モジュールは、バーストモードにおけるクロックデータ回復モジュールともいう）、クロックデータ回復モジュールは、アップリンクバーストデジタル信号パケットを回復する。クロックデータ回復モジュールの基準クロックｆｔは、ダウンリンクデータストリームに対応する基準クロックｆ０と同期しており、タイミング再生モジュールはｆｔをｆ０と同期するために使用される。
【００４４】
パケットヘッダ検出モジュールは、クロックデータ回復モジュールから回復されるバーストデジタル信号パケットに対してパケットヘッダ検出を行い、パケットヘッダを検出した後に、パケットヘッダ検出モジュールは表示信号を生成して、ＯＤＮインターフェースがアップリンクデータを受信したことを示すためにチャネル結合モジュールに表示信号を送信する。チャネル結合モジュールは、異なるＯＤＮインターフェースにより送信された表示信号に従って異なるＯＤＮインターフェースのバーストデジタル信号パケットを選択して、異なるＯＤＮインターフェースのアップリンクデータ信号を１つの電気信号データストリームのチャネルに結合する。例えば、図３に示すように、表示信号１が有効であるとき、チャネル結合モジュールは、出力としてＯＤＮ１のアップリンクデータ信号を選択し、同じＰＯＮシステムでは異なるＯＮＵにより送信されたバーストデジタル信号パケットには確実に競合が発生しないので、表示信号が有効であるとき、チャネル結合モジュールは、ＯＤＮ１インターフェースのアップリンクデータ信号を出力すればよい。このようにして、同じＰＯＮシステムに属する異なるＯＤＮインターフェースのアップリンクデータ信号をチャネル結合する機能が実行される。バースト送信光モジュールは、受信された電気信号データストリームに電気‐光変換を行って、最終的に光加入者線終端装置により受信することができる１つのアップリンクデータストリームのチャネルを取得する。更に、図８では、光モジュール制御モジュールは、リセット信号を生成して、バースト送信光モジュールおよびバースト受信光モジュールにリセット動作を行うように構成される。連続受信光モジュールは、ダウンリンク光信号を受信し、電気的信号に変換し、クロックデータ回復モジュールに電気的信号を送るように構成され、クロックデータ回復モジュールは、ダウンリンクデータストリームおよびダウンリンクデータストリーム内のデータの基準クロックｆ０を回復する。
【００４５】
装置が特に長距離ＰＯＮシステムに適用されたとき、物理的モジュールの構成図は、図９に示す通りである。
【００４６】
前段の信号処理方法は、上記実施形態と同じである。チャネル結合モジュールが１つの電気信号データストリームのチャネルを取得した後、パケット末尾検出モジュールは、バーストパケット末尾検出技術を採用して、チャネル結合モジュールにより送られた電気信号データストリームを検出し、各バーストデジタル信号パケットの終了位置を検出したとき、同じＰＯＮシステムに属する異なるＯＤＮインターフェースのバースト受信光モジュールをリセットするリセット信号を生成する。パケット間ギャップ限界決定モジュールは、ビットフレーム検索の方法で次のバーストデジタル信号パケットの開始位置を見つけ、その間、パケット間バイト切捨て機能の処理を完了して、アップリンクデータストリームを連続信号に変換する。一方、連続信号内での０の長いストリームまたは１の長いストリームの出現を回避するために、パケット間ギャップ充填モジュールは、２つの隣接バーストデータパケット間のギャップに固定パターンを充填し、固定パターンは、いくつかの特殊文字のシーケンスである。パケット間ギャップ限界決定およびパケット間ギャップ充填という上述の処理を行うことにより、電気信号データストリームは連続信号に変換され、連続信号は、波長分割システム（デバイス）のクライアント信号の役目をするものであり、光加入者線終端装置に接続される別の波長分割デバイスに光伝送ネットワーク（または波長分割多重化ネットワーク）を介して送信され、連続信号は、波長分割デバイスによりデマッピングされて光加入者線終端装置に送信される。
【００４７】
ダウンリンク方向においては、複製モジュールは、ダウンリンクデータストリームを複製して、同じＰＯＮに属する異なるＯＤＮインターフェースに複製されたダウンリンクデータストリームを送信する。図８または図９に示すように、ＯＤＮインターフェースの連続送信光モジュールは、受信された電気的信号を光信号に変換して、光ファイバリンクを介して各ＯＮＵに光信号を送信することで、各ＯＮＵが確実に同じダウンリンクデータストリームを受信するようにする。図においては、ｆ０はダウンリンクデータストリームから回復されるデータ基準クロックを表し、ｆｔは、アップリンク方向において各バースト電気信号から対応するバーストデジタル信号パケットを回復するために採用される基準クロックを表し、タイミング再生モジュールは、ｆ０をｆｔと同期するために使用される。
【００４８】
図９の物理的モジュールは、受動光ネットワークの通信装置内のユニットに対応している。例えば、アップリンク方向においては、バースト受信光モジュールは、第１の受信ユニット３０１および第２の変換ユニット３０２１に対応し、クロックデータ回復モジュールは、回復サブユニット３０２２に対応し、パケットヘッダ検出モジュールは、パケットヘッダ検出ユニット３０３１および信号生成ユニット３０３２に対応し、チャネル結合モジュールは、選択サブユニット３０３３に対応すえる。ダウンリンク方向においては、複製モジュールは、第２の受信ユニット３０５、第２の回復ユニット３０６、複製ユニット３０７および第２の送信ユニット３０８に対応する。
【００４９】
本発明の実施形態において提供する受動光ネットワークの通信装置により、光スプリッタの数が増加され、アップリンク方向において、バーストデジタル信号パケットは、各光スプリッタにより送信されたデータ信号内のバースト光信号から回復され、これらのデジタル信号パケットが選択されて、１つのアップリンクデータストリームのチャネルに結合され、アップリンクデータストリームは、光加入者線終端装置に送信される。ダウンリンク方向においては、光加入者線終端装置により受信されたデータストリームは複製されて各光スプリッタに送信されるので、光加入者線終端装置と光スプリッタはもはや１対１の対応ではなく、その結果、受動光ネットワークシステムにアクセスするＯＮＵの数が最大限に増加する。本発明の実施形態において提供する受動光ネットワークの通信装置は、非ＰＯＮデバイスを増やすことなく、より多くのユーザを対象とすることができ、その結果、運営者のネットワーク運営維持費が低減される。
【００５０】
図１０に示すように、本発明の実施形態は、更に、
各々が少なくとも１つの光加入者線ネットワーク装置４に接続され、かつ、光加入者線ネットワーク装置４により送信されたバースト光信号を受信して、バースト光信号を１つのアップリンクデータ信号のチャネルに結合するように構成された、少なくとも２つの光スプリッタ１と、
少なくとも２つの光スプリッタに接続され、少なくとも２つの光スプリッタにより送信された少なくとも２つのアップリンクデータ信号のチャネルを受信し、各アップリンクデータ信号のチャネル内のバースト光信号からバーストデジタル信号パケットを回復し、バーストデジタル信号パケットを選択して１つのアップリンクデータストリームのチャネルを取得し、光加入者線終端装置にアップリンクデータストリームを送信するように構成されたデータ処理モジュール２と、
データ処理モジュール２に接続され、データ処理モジュール２により送信された１つのアップリンクデータストリームのチャネルを受信し、アップリンクデータストリームを構文解析し、構文解析されたアップリンクデータストリームを対象ネットワークに送信するように構成された光加入者線終端装置３と、
を含む受動光ネットワークの通信システムを提供している。
【００５１】
ダウンリンク方向において、データ処理モジュール２は、光加入者線終端装置により送信された１つのダウンリンクデータストリームのチャネルを受信して、それからダウンリンクデータストリーム内のデータの基準クロックを回復し、（すなわち、アップリンク方向における基準クロックに従って、各バースト電気信号から対応するバーストデジタル信号パケットを回復し）、光スプリッタ１の数、すなわち、いくつの光スプリッタがあるか、いくつのコピーが複製されるか、に従ってダウンリンクデータストリームを複製し、各光スプリッタにその各々を送信することで、異なるＯＤＮネットワーク５（光スプリッタおよび光スプリッタに接続された光ファイバにより形成されたネットワーク）内の異なるＯＮＵが確実に同じダウンリンクデータストリームを受信できるようにする。
【００５２】
本発明の実施形態において提供する受動光ネットワークの通信システムにより、光スプリッタの数が増加され、各光スプリッタにより送信されたデータ信号内のバースト光信号からバーストデジタル信号パケットが回復され、これらのデジタル信号パケットが選択されて、１つのアップリンクデータストリームのチャネルに結合され、アップリンクデータストリームが光加入者線終端装置に送信される。そのため、光加入者線終端装置と光スプリッタはもはや１対１対の対応でなく、その結果、受動光ネットワークシステムにアクセスするＯＮＵの数が最大限に増加する。本発明の実施形態において提供する受動光ネットワークの通信システムは、非ＰＯＮデバイスを増やすことなく、より多くのユーザを対象とすることができ、その結果、運営者のネットワーク運営維持費が低減される。
【００５３】
本発明において提供する技術的解決策は、受動光ネットワークシステムの通信分野に適用可能である。
【００５４】
当業者は、本発明の実施形態による方法の諸ステップの全てまたは一部が、関連したハードウェアに指示するプログラムにより実行できると理解するであろう。プログラムは、ＲＯＭ／ＲＡＭ、磁気ディスクまたはコンパクトディスクなどのコンピュータ可読記憶媒体内に記憶してもよい。
【００５５】
上記の説明は、本発明の単なる実施例であり、本発明を限定することを意図したものではない。本発明において開示する技術的な範囲から逸脱することなく当業者により簡単に想到できる一切の変形または置き換えは、本発明の保護範囲に該当するものとする。従って、本発明の保護範囲は、特許請求の保護範囲に従う。
【図１】
0005571846.tif 000002
【図２】
0005571846.tif 000003
【図３】
0005571846.tif 000004
【図４】
0005571846.tif 000005
【図５】
0005571846.tif 000006
【図６】
0005571846.tif 000007
【図７】
0005571846.tif 000008
【図８】
0005571846.tif 000009
【図９】
0005571846.tif 000010
【図１０】
0005571846.tif 000011